(57)【要約】【課題】汎用性、利便性、実用性が向上される化粧具を提供する。【解決手段】軸筒１０の一方側に液状化粧料部５０を、他方側に棒状化粧料部５１を各々具備し、液状化粧料部５０は、軸筒１０内に配設され液状化粧料を貯留する液状化粧料貯留部１１１と、一方側の軸筒端から突出し液状化粧料貯留部１１１から液状化粧料が供給される塗布体１０３と、を備え、棒状化粧料部５１は、他方側の軸筒端に配設され軸筒１０に回転可能に支持される筒状の摘み部３１ａと、この摘み部３１ａ内に配設される棒状化粧料Ｍと、軸筒１１と摘み部３１ａが相対回動されることで、当該摘み部先端の開口から棒状化粧料Ｍを進退させる進退機構３１，３２，３３と、を備え、単一の化粧具１で、液状、棒状化粧料の各々の使用を可能とし、化粧料の異なる化粧具を各々所持する必要を無くすと共に用途の多様化を図り、且つ、携行に便利で使い勝手に優れる化粧具とする。【選択図】　図１
2004024506.tif 000002
【特許請求の範囲】
【請求項１】
軸筒の一方側に液状化粧料部を、他方側に棒状化粧料部を各々具備し、
前記液状化粧料部は、
前記軸筒内に配設され液状化粧料を貯留する液状化粧料貯留部と、
一方側の軸筒端から突出し前記液状化粧料貯留部から液状化粧料が供給される塗布体と、を備え、
前記棒状化粧料部は、
他方側の軸筒端に配設され前記軸筒に回転可能に支持される筒状の摘み部と、
この摘み部内に配設される棒状化粧料と、
前記軸筒と前記摘み部が相対回転されることで、前記摘み部先端の開口から前記棒状化粧料を進退させる進退機構と、を備えることを特徴とする化粧具。
【請求項２】
前記棒状化粧料部は、前記摘み部と、前記棒状化粧料と、前記進退機構と、を有する棒状化粧料カートリッジを具備し、
当該棒状化粧料カートリッジが、前記軸筒に着脱可能に装着されることを特徴とする請求項１記載の化粧具。
【請求項３】
前記液状化粧料部は、有底筒状体を成す液状化粧料カートリッジを備え先端の開口から前記塗布体が突出し、
この液状化粧料カートリッジ内に、前記液状化粧料貯留部が画成されると共に、当該液状化粧料貯留部と前記塗布体とを連絡し前記液状化粧料貯留部の液状化粧料を前記塗布体に供給する中継芯を収容し、
この液状化粧料カートリッジが、前記軸筒に着脱可能に装着されることを特徴とする請求項１又は２記載の化粧具。
【発明の詳細な説明】
【０００１】
【発明の属する技術分野】
本発明は、化粧料を備える化粧具に関する。
【０００２】
【従来の技術】
化粧料を収容し使用に供される化粧具としては、液状化粧料を収容するもの、棒状化粧料を収容するもの、粉体化粧料を収容するもの等種々のものがあり、使用に応じて使い分けられている。
【０００３】
【発明が解決しようとする課題】
このような化粧具にあっては、需要者の購買意欲を高めるべく、汎用性、利便性、実用性の向上が日々研究されている。
【０００４】
そこで、本発明は、汎用性、利便性、実用性が向上される化粧具を提供することを目的とする。
【０００５】
【課題を解決するための手段】
本発明による化粧具は、軸筒の一方側に液状化粧料部を、他方側に棒状化粧料部を各々具備し、液状化粧料部は、軸筒内に配設され液状化粧料を貯留する液状化粧料貯留部と、一方側の軸筒端から突出し液状化粧料貯留部から液状化粧料が供給される塗布体と、を備え、棒状化粧料部は、他方側の軸筒端に配設され軸筒に回転可能に支持される筒状の摘み部と、この摘み部内に配設される棒状化粧料と、軸筒と摘み部が相対回転されることで、摘み部先端の開口から棒状化粧料を進退させる進退機構と、を備えることを特徴としている。
【０００６】
このような化粧具によれば、軸筒の一方側に、液状化粧料を収容すると共に塗布可能とする液状化粧料部が備えられ、他方側に、棒状化粧料を収容すると共に繰り出して塗布可能とする棒状化粧料部が備えられるため、単一の化粧具で、液状化粧料と棒状化粧料の各々の使用が可能とされ、化粧料の相違する化粧具を別々に所持する必要が無くされると共に用途の多様化が図られ、且つ、携行に便利で使い勝手に優れる化粧具とされる。
【０００７】
ここで、棒状化粧料部は、摘み部と、棒状化粧料と、進退機構と、を有する棒状化粧料カートリッジを具備し、当該棒状化粧料カートリッジが、軸筒に着脱可能に装着される構成であると、消耗等により棒状化粧料を交換する必要が生じたら棒状化粧料カートリッジを軸筒から抜脱し交換用の棒状化粧料カートリッジを装着すれば良く、また、棒状化粧料カートリッジを軸筒から抜脱した状態での棒状化粧料の塗布も可能とされ、さらに、棒状化粧料カートリッジをユニットとして組み立ててから軸筒に装着することで上記化粧具が得られることから組立が容易とされる。
【０００８】
また、液状化粧料部は、有底筒状体を成す液状化粧料カートリッジを備え先端の開口から塗布体が突出し、この液状化粧料カートリッジ内に、液状化粧料貯留部が画成されると共に、当該液状化粧料貯留部と塗布体とを連絡し液状化粧料貯留部の液状化粧料を塗布体に供給する中継芯を収容し、この液状化粧料カートリッジが、軸筒に着脱可能に装着される構成であると、例えば液状化粧料を使い切った等の場合には液状化粧料カートリッジを軸筒から抜脱し交換用の液状化粧料カートリッジを装着すれば良く、また、液状化粧料カートリッジを軸筒から抜脱した状態での液状化粧料の塗布も可能とされ、さらに、液状化粧料カートリッジをユニットとして組み立ててから軸筒に装着することで上記化粧具が得られることから組立が容易とされる。
【０００９】
【発明の実施の形態】
以下、本発明による化粧具の好適な実施形態について図１〜図１５を参照しながら説明する。図１は、本発明の実施形態に係る化粧具を示す縦断面図であり、本実施形態の化粧具は、棒状化粧料及び液状化粧料を収容し使用に供するものである。
【００１０】
図１に示すように、化粧具１は、全体形状が筆記具のように細長い丸棒状を成し、容器本体（軸筒）１０の一方側（図示右側）に液状化粧料部５０を、他方側（図示左側）に棒状化粧料部５１を各々備え、これらの液状化粧料部５０、棒状化粧料部５１の容器本体１０から外方（図示右左）に突出する部分が、キャップ４１，４２に覆われている。
【００１１】
容器本体１０は、図１〜図４に示すように、円筒状を成し、図３及び図４に示すように、筒内の略中間位置が中仕切１１で仕切られている。この容器本体１０は、一方側の開口端より軸線方向内側位置に所定長の雌ネジ９０を備え、他方側の開口端に、筒内の内径より多少大きい段孔１２を備えると共に、この段孔１２より軸線方向内側に所定長離間した位置に環状の溝部１３を備えている。
【００１２】
そして、この容器本体１０には、図１及び図２に示すように、中仕切１１より一方側に、液状化粧料部５０を構成する液状化粧料カートリッジ６０が、中仕切１１より他方側に、棒状化粧料部５１を構成する棒状化粧料カートリッジ３０が各々着脱可能に装着されている。
【００１３】
先ず、液状化粧料カートリッジ６０について詳説する。この液状化粧料カートリッジ６０は、図１に示すように、容器本体１０の一方側に装着され先端の例えば筆状等の塗布体１０３で液状化粧料を塗布するもので、この塗布体１０３を有し円筒状を成す本体筒１０１を具備している。
【００１４】
本体筒１０１は、図１及び図１５に示すように、先端に向けて次第に外径が細くなる先細り形状を成し、全長の１／３程度先端からの位置に、環状鍔部１２０が外周面に沿って形成され、この環状鍔部１２０を境に後端側の外周面が容器本体１０内に挿入可能に形成されると共に、当該外周面の環状鍔部１２０から後端側に雄ネジ１２１が所定長形成されている。
【００１５】
そして、本体筒１０１は、図１に示すように、環状鍔部１２０から後端側が容器本体１０内に挿入され、雄ネジ１２１が容器本体１０の雌ネジ９０に螺合した状態で環状鍔部１２０の後端面が容器本体１０の一方側の端面に当接し（図１及び図２参照）、容器本体１０に装着されている。
【００１６】
本体筒１０１は、先端の開口から塗布体１０３が液封状態で突出すると共に、図１に示すように、後端が尾栓１１０で閉塞されて液封有底とされ、塗布体１０３と尾栓１１０との間が仕切板１０９により仕切られている。本体筒１０１内の仕切板１０９より尾栓１１０側の領域は、アイライナーを始めとした液状化粧料を貯留する液状化粧料貯留部１１１とされている。
【００１７】
因みに、尾栓１１０は通常ポリプロピレン樹脂により製造されるが、これをナイロン樹脂で成形する場合には、その膨潤性により液状化粧料の水分を含有して水密性が強固とされ、液状化粧料の漏れる虞が無くされる。
【００１８】
また、仕切板１０９に対しては、後端が液状化粧料貯留部１１１に突出して液状化粧料に浸漬すると共に先端が塗布体１０３に接続されて液状化粧料を塗布体１０３へ供給する中継芯１０８が貫通して固定されている。この中継芯１０８は、液状化粧料貯留部１１１に突出して液状化粧料に浸漬しているため、液状化粧料貯留部１１１に充填されている液状化粧料が中継芯１０８を通して塗布体１０３側へ余すこと無く流出し液状化粧料貯留部１１１の液状化粧料が無駄無く使い切られる。
【００１９】
また、本体筒１０１内の仕切板１０９より塗布体１０３側の領域には、中継芯１０８を軸線方向に囲繞するように仕切板１０９に装備され、軸線方向に所定の並行する隙間を多段に形成する液状化粧料流出調整具１１５が配設されている。この液状化粧料流出調整具１１５は、液状化粧料貯留部１１１から中継芯１０８を通して流出される液状化粧料を、当該調整具１１５に形成される隙間内に貯溜し、塗布体１０３への過度の流出を抑制して徐々に流出させる。
【００２０】
仕切板１０９は、その後端縁が、本体筒１０１内壁から突出する係止突起１１２を乗り越えると共に、その側壁が、本体筒１０１内壁から膨出する膨出部１１３に嵌合され、その進退が阻止されて所定位置に位置決め固定されている。
【００２１】
また、本体筒１０１及び塗布体１０３を覆うキャップ４１の先端内には、スプリング１０５を介して内キャップ１０６が内装され、キャップ４１は、スプリング１０５の付勢力に従って、内キャップ１０６が本体筒１０１先端側の外周面に密着することで、本体筒１０１に着脱可能に装着され塗布体１０３を保護する。
【００２２】
このような構成を有する液状化粧料カートリッジ６０の製造にあたっては、塗布体１０３と、この塗布体１０３の後端に密接する中継芯１０８とが一体に固定される仕切板１０９を、本体筒１０１の後端開口から挿入して上記所定位置に装着し、液状化粧料貯留部１１１に液状化粧料を充填して尾栓１１０で蓋をすることで、有底円筒状体を成す液状化粧料カートリッジ６０が得られる。
【００２３】
従って、製造工程が簡略化されると共に、滅菌した塗布体や仕切板を先端方向から挿入して固定し滅菌状態で組み立てを行う製造方法に比して滅菌作業が最小限とされている。
【００２４】
このような構成を有する液状化粧料カートリッジ６０を容器本体１０に装着する場合には、液状化粧料カートリッジ６０の尾栓１１０側を容器本体１０内の中仕切１１側に挿入していく。そして、容器本体１０の雌ネジ９０に本体筒１０１の雄ネジ１２１が達したら、本体筒１０１と容器本体１０とを相対回転させることで、容器本体１０の雌ネジ９０に対して本体筒１０１の雄ネジ１２１が螺合して環状鍔部１２０の後端面が容器本体１０の一方側の端面に突き当たり、本体筒１０１が容器本体１０に着脱可能に装着される。
【００２５】
このように、液状化粧料カートリッジ６０がユニットとして組み立てられてから容器本体１０に装着されるため、化粧具１の組立が容易とされ、製造コストの低減が図られている。
【００２６】
次に、棒状化粧料カートリッジ３０について詳説する。この棒状化粧料カートリッジ３０は、図１及び図２に示すように、容器本体１０の他方側に装着され、図１及び図６に示すように、アイライナーを始めとした棒状化粧料Ｍを収容すると共に容器本体１０との相対回転に従って当該棒状化粧料Ｍを先端から繰り出して塗布し得るもので、図１に示すように、その後端から中程迄の部分が後述の中具２０を介して容器本体１０内に収容されている。
【００２７】
この容器本体１０は、図３及び図４に示すように、前述した中仕切１１の他方側周縁の４等配の位置（図１３参照）に、開口側に向けて延びる段付きの縦リブ１４を各々備え、この縦リブ１４の下段の開口側の端部が、中具２０の段部２６と当接する当接部１５とされている。この縦リブ１４の上段は下段より中仕切１１側に凹まされていると共にその凹まされている先端面が周方向に６０°で傾斜する傾斜面１４ａとされている。この縦リブ１４の上段は後述するネジ筒３３の縦リブ３３ｇと噛合する。
【００２８】
中具２０は合成樹脂で形成され、図７に示すように、略円筒状を成し、全長の１／３程度先端からの位置に、容器本体１０の段孔１２に収まる環状鍔部２１が外周面に沿って形成されている。また、中具２０は、環状鍔部２１を境に先端側２２の外周面が、図１に示すように、キャップ４２が着脱可能に装着されるように形成され、後端側２３の外周面が容器本体１０内に嵌入可能に形成されていると共に、図７に示すように、環状鍔部２１から後端側２３に所定長離間した位置に、環状の突条２４が形成され、後端側２３の端部に環状の段部２６が形成されている。
【００２９】
この中具２０は、環状鍔部２１から後端側が容器本体１０内に嵌入され、環状の段部２６が容器本体１０の当接部１５に当接し、環状鍔部２１が容器本体１０の段孔１２に収容されると共に環状の突条２４が容器本体１０の溝部１３に嵌入されて、容器本体１０に固定されている。
【００３０】
この中具２０の後端側２３の外周面は環状鍔部２１近傍と段部２６が一段高く形成され、環状鍔部２１近傍と段部２６との間の外周面は低く形成されていて、突条２４と環状の段部２６との間の外周面には、スリットを螺旋状に切り欠いて成る切欠孔２５が形成されている。
【００３１】
従って、中具２０の後端側２３は、当該切欠孔２５により伸縮可能とされて緩衝性を有し、段部２６が切欠孔２５を開口側（先端側２２）に圧縮した場合には当該開口側に移動される。
【００３２】
また、中具２０は、図１に示すように、先端側２２の内周面に、環状溝部２７が形成され、後端側２３端部近傍の内周面に、後述する先筒３１の周溝部３１ｃと嵌合する環状凸部２８が形成されている。
【００３３】
図１及び図６に示すように、棒状化粧料カートリッジ３０は、棒状化粧料Ｍを収容する段付き円筒形状の先筒３１と、先筒３１内に配置されて軸線方向に延在し棒状化粧料Ｍを把持する芯チャック３２と、この芯チャック３２と螺合するネジ筒３３（図１０及び図１１参照）と、を備えている。これらの先筒３１、芯チャック３２及びネジ筒３３は、棒状化粧料Ｍを進退させる進退機構として機能する（詳しくは後述）。
【００３４】
先筒３１は、図５及び図６に示すように、大径部（摘み部）３１ａと、この大径部３１ａ後端に連設される小径部３１ｂとを有し、大径部３１ａは、先端に向けて次第に外径が細くなる先細り形状を成し、小径部３１ｂは、後端寄りの外周面に周溝部３１ｃが形成されていると共に、その外径が、中具２０の内径より小とされ、中具２０内に挿入可能に形成されている。
【００３５】
そして、先筒３１は、図１に示すように、小径部３１ｂが中具２０内に挿入され、大径部３１ａと小径部３１ｂとの間の段部３１ｆが中具２０の先端に当接し、小径部３１ｂの周溝部３１ｃが中具２０の環状凸部２８に噛合することで、中具２０に回転可能に装着されている。この先筒３１は、中具２０の切欠孔２５の緩衝性により中具２０の後端側２３が開口側に移動する時は同期して移動する。
【００３６】
また、図６に示すように、先筒３１には、その長手方向に、棒状化粧料Ｍのみを通過可能とする小径孔３１ｇが形成されると共に、芯チャック３２及びネジ筒３３を収容する貫通孔３１ｄが形成されている。この貫通孔３１ｄには、その先端側からの一定距離及び後端側からの一定距離を除いて、図８に示すように、十字方向内側に突出する突条３１ｅが軸線方向に沿って形成されている。そして、図６に示すように、大径部３１ａの小径孔３１ｇと貫通孔３１ｄとの間の段差部が、先端側に移動した芯チャック３２のそれ以上の移動を阻止する。
【００３７】
また、貫通孔３１ｄの後端側には、図６及び図１４に示すように、貫通孔３１ｄに嵌挿するネジ筒３３を回転可能且つ軸線方向移動不能に係止する環状凹部３１ｈが形成されていると共に、貫通孔３１ｄの孔径より多少大きい径の段付孔３１ｉが形成されている。
【００３８】
芯チャック３２は、図６及び図９に示すように、棒状化粧料Ｍを把持する把持部３２ａと、この把持部３２ａの後端に連続するネジ軸３２ｂと、を備えている。
【００３９】
把持部３２ａは、図６に示すように、先筒３１の貫通孔３１ｄに挿入可能であり、図６及び図９に示すように、有底略円筒状を成すと共に、図８に示す先筒３１の内周面に形成された十字方向の突条３１ｅに対応して、図９に示すように、周壁十字方向の４箇所の位置に、先端から軸線方向に沿って底部へ延びる切欠３２ｅを備えている。棒状化粧料Ｍは、把持部３２ａ内に挿入され、周壁内側に軸線方向に沿って形成される各凸条３２ｄにより回転方向の移動が阻止されて把持されている。
【００４０】
また、把持部３２ａの切欠３２ｅは、その幅寸法が、先筒３１の突条３１ｅの幅寸法より多少大きくされ、先筒３１の突条３１ｅと噛合する（各切欠３２ｅに各突条３１ｅが入り込む）ことで、芯チャック３２は貫通孔３１ｄ内に回転不能且つ軸線方向移動可能に収容されている。従って、先筒３１の突条３１ｅは、芯チャック３２を貫通孔３１ｄに沿って案内する案内片とされ、芯チャック３２の切欠３２ｅは案内溝とされる。
【００４１】
また、図６に示すように、ネジ軸３２ｂには、ネジ筒３３と螺合するネジ溝３２ｂｂが形成されている。
【００４２】
ネジ筒３３は、合成樹脂で形成され、図１０及び図１１に示すように、円筒軸部３３ａと、この円筒軸部３３ａに連続し当該円筒軸部３３ａより大径の円筒状を成すギア部３３ｂと、を備えている。
【００４３】
図１１及び図１２に示すように、円筒軸部３３ａの先端側内周面には、突起３３ｄが２箇所形成されている。この突起３３ｄは、図６に示すように、ネジ軸３２ｂのネジ溝３２ｂｂと螺合し、ネジ筒３３の回転を芯チャック３２に伝える。
【００４４】
図１０、図１１及び図１４に示すように、ギア部３３ｂは、先端側に鍔部３３ｅを有する段付き円筒形状を成し、鍔部３３ｅから後端側の小径部３３ｆの外周面に、図１０及び図１２に示すように、８等配の位置で軸線方向に沿って延びる縦リブ３３ｇを備えている。この縦リブ３３ｇは、図１２に示すように、山形を成すと共に、その後端面に、図１１及び図１４に示すように、上端面から下端面に向けて４５°の下り勾配で傾斜する傾斜面３３ｈが形成されている。
【００４５】
また、円筒軸部３３ａのギア部３３ｂ側の外周面には、図１０及び図１１に示すように、円周方向に沿って突出する環状凸部３３ｉが形成されると共に、ギア部３３ｂと接続する部位に、円筒軸部３３ａの外径より多少大きい環状段部３３ｊが形成されている。この環状段部３３ｊの軸線方向の長さは、図１４に示すように、先筒３１の段付孔３１ｉの長さより短くされ、環状段部３３ｊの軸径は、段付孔３１ｉの孔径より小さくされている。
【００４６】
さらに、環状段部３３ｊの外周面には、図１０及び図１１に示すように、コ字状割溝３３ｋが、１８０°対称位置に各々穿設されている。そして、図１０に示すように、環状段部３３ｊの外周面でコ字状割溝３３ｋの穿設により形成される２箇所の半島部３３ｍ，３３ｍには、その外周面から突出する係合突部３３ｎ，３３ｎが各々形成されている。この突出する係合突部３３ｎ，３３ｎの頂部間寸法は、先筒３１の段付孔３１ｉの孔径よりも多少大きく形成されている。これら半島部３３ｍ，３３ｍは合成樹脂で形成され、合成樹脂の可撓性により板ばねの役割を果たす。
【００４７】
そして、図６に示すように、ネジ筒３３は、環状段部３３ｊから先端側が先筒３１の貫通孔３１ｄに挿入されると共に環状段部３３ｊが先筒３１の段付孔３１ｉに挿入された状態で、突起３３ｄがネジ軸３２ｂのネジ溝３２ｂｂと螺合し、図１４に示すように、鍔部３３ｅが先筒３１の小径部３１ｂ後端部に当接すると共に、環状凸部３３ｉが先筒３１の環状凹部３１ｈに嵌入されて、先筒３１に回転可能且つ軸線方向移動不能に装着されている。
【００４８】
また、係合突部３３ｎ，３３ｎは、段付孔３１ｉの内周面に係合（当接）し、この係合部位で板ばね（半島部３３ｍ，３３ｍ）の弾発力による回転抵抗を発生させている。
【００４９】
また、図１及び図１３に示すように、ネジ筒３３のギヤ部３３ｂの縦リブ３３ｇと容器本体１０の縦リブ１４の上段とは噛合している。
【００５０】
従って、棒状化粧料カートリッジ３０と容器本体１０とが相対回転されると、ネジ筒３３が、先筒３１との間の板ばねによる回転抵抗に抗して容器本体１０と共に回転する。また、ネジ筒３３が容器本体１０に対して開口側に所定距離移動すると、ネジ筒３３の縦リブ３３ｇの傾斜面３３ｈに対して、容器本体１０の縦リブ１４の傾斜面１４ａの縁が向き合い、噛合状態が解除される。
【００５１】
図１に示すように、キャップ４２は、有底円筒状を成し、先筒３１の中具２０から突出する部分及び中具２０の先端部２２を覆い、これらを保護する。このキャップ４２は、中具２０の先端部２２外周面の摩擦作用によって容易に着脱される。
【００５２】
このような構成を有する棒状化粧料カートリッジ３０を、中具２０を介して容器本体１０に装着する場合には、棒状化粧料カートリッジ３０のギヤ部３３ｂ側を容器本体１０内の中仕切１１側に挿入していく。すると、中具２０の先端が先筒３１の段部３１ｆに当接し、小径部３１ｂの周溝部３１ｃに中具２０の環状凸部２８が嵌入して、棒状化粧料カートリッジ３０が中具２０に回転可能且つ着脱可能に装着される。
【００５３】
このように、棒状化粧料カートリッジ３０がユニットとして組み立てられてから容器本体１０に中具２０を介して装着されるため、化粧具１の組立が容易とされ、製造コストの低減が図られている。
【００５４】
ここで、キャップ４１，４２を装着した化粧具１を例えば床等に落下させた場合には、落下による緩衝的外力が容器本体１０及びキャップ４１，４２に加わるが、棒状化粧料カートリッジ３０に対しては、合成樹脂製の中具２０の可撓性が作用すると共に、中具２０の切欠孔２５が圧縮されて軸線方向及び回転方向に移動可能とする緩衝性が作用し、落下による衝撃が緩和されて棒状化粧料カートリッジ３０側（先筒３１、芯チャック３２及びネジ筒３３）には殆ど伝達されない。
【００５５】
従って、衝撃が芯チャック３２には伝わらず、芯チャック３２に把持されている棒状化粧料Ｍが抜け落ちたり、破損することが防止されている。
【００５６】
次に、このような化粧具１により化粧料を塗布する場合について説明する。液状化粧料を塗布する場合には、使用者は、筆記具状の容器本体１０を持って塗布体１０３を塗布すれば良い。
【００５７】
一方、棒状化粧料Ｍを塗布する場合には、先筒３１の大径部３１ａを摘むと共に容器本体１０を回転させる、若しくは、容器本体１０を摘むと共に先筒３１の大径部３１ａを回転させ、これらを相対回転させる。
【００５８】
すると、容器本体１０の縦リブ１４（図３及び図４参照）と棒状化粧料カートリッジ３０のネジ筒３３の後部外周上に設けた縦リブ３３ｇ（図１４参照）とが回転方向に係合し、ネジ筒３３が、先筒３１との間の回転抵抗に抗して容器本体１０と共に一体に回転する。
【００５９】
ネジ筒３３が回転すると、ネジ筒３３内で螺合関係にある芯チャック３２が先筒３１に回転不能且つ軸線方向移動可能に係合しているため、図６に示す如く当該芯チャック３２は先筒３１内を前進し、棒状化粧料Ｍは先筒３１の小径孔３１ｇより繰り出される。
【００６０】
そして、棒状化粧料Ｍが所望長さに繰り出されたら、容器本体１０と先筒３１との相対回転を停止する。すると、図１４に示すように、先筒３１の段付孔３１ｉ内周面とネジ筒３３の係合突部３３ｎ，３３ｎとの係合部（当接部）にあっては板ばね（半島部３３ｍ，３３ｍ）の弾発力による回転抵抗が発生しているため、ネジ筒３３と先筒３１とは所定の係合状態とされる。
【００６１】
従って、この状態で、使用者は、容器本体１０を持って棒状化粧料Ｍを塗布すれば良い。この時、棒状化粧料Ｍを介して芯チャック３２に塗布面（例えば皮膚等）から外力が作用するが、芯チャック３２は、その外力より回転抵抗が勝っている範囲内においては移動しない。
【００６２】
ここで、容器本体１０と先筒３１とをさらに相対回転させ、芯チャック３２をさらに繰出方向に移動させて最大に繰り出すと、図６に示すように、芯チャック３２の先端が、先筒３１の貫通孔３１ｄと小径孔３１ｇとの段部に当接し、芯チャック３２のそれ以上の前進が阻止される。
【００６３】
この状態で、さらに相対回転を継続すると、芯チャック３２が前進しようとして先筒３１が当該芯チャック３２に押圧され、先筒３１が前方へ移動しようとし、印篭関係にある先筒３１の周溝部３１ｃ（図１４参照）と中具２０の環状凸部２８（図１参照）とを介して中具２０の切欠孔２５（図７参照）が軸線方向に圧縮される。
【００６４】
すると、ネジ筒３３を含む棒状化粧料カートリッジ３０が、中具２０の切欠孔２５の圧縮分、前方へ移動すると共に、容器本体１０の縦リブ１４の傾斜面１４ａが、ネジ筒３３の縦リブ３３ｇの傾斜面３３ｈを前方に押し出すことになり、これにより、縦リブ１４，３３ｇ同士の噛合状態が解除されて、容器本体１０の回転がネジ筒３３に対して遮断される。
【００６５】
従って、容器本体１０から棒状化粧料カートリッジ３０が離脱したり、棒状化粧料カートリッジ３０内にあって先筒３１、芯チャック３２及びネジ筒３３が相互に分解することが防止されている。このように、本実施形態では、縦リブ１４，３３ｇに設けた傾斜面１４ａ，３３ｈが、トルクリミッターとしての役割を果たしている。
【００６６】
また、縦リブ１４，３３ｇ同士の噛合が解除された状態で、相対回転を停止すると、中具２０の切欠孔２５の圧縮中止による弾性が中具２０の後端側２３に生じ、棒状化粧料カートリッジ３０が後端側に移動され、ネジ筒３３の縦リブ３３ｇと容器本体１０の縦リブ１４とが噛合状態に復帰する。
【００６７】
一方、塗布が終わったら、使用者が、容器本体１０と先筒３１とを上記とは逆方向に相対回転させることで、棒状化粧料Ｍが先筒３１内に引き込まれる。
【００６８】
このように、本実施形態においては、単一の化粧具１で、液状化粧料の使用と棒状化粧料Ｍの繰り出しての使用が各々可能とされていて、化粧料の相違する化粧具を別々に所持する必要が無くされていると共に用途の多様化が図られ、且つ、化粧具１は一方側に塗布体１０３を他方側に棒状化粧料Ｍを各々備える筆記具状の如き円筒形状とされていて携行に便利で使い勝手に優れる化粧具とされている。このため、汎用性、利便性、実用性の高い化粧具とされている。
【００６９】
ここで、液状化粧料カートリッジ６０にあっては、当該液状化粧料カートリッジ６０と容器本体１０とを持って両者を相対回転させると、本体筒１０１の雄ネジ１２１と容器本体１０の雌ネジ９０との螺合が解除され、液状化粧料カートリッジ６０が容器本体１０から抜脱される。このため、例えば液状化粧料を使い切った等の場合には、このようにして液状化粧料カートリッジ６０を容器本体１０から抜脱し、交換用（新規）の液状化粧料カートリッジ６０を上記と同様にして容器本体１０に装着すれば良く、利便性、実用性の向上がさらに図られている。
【００７０】
また、このように液状化粧料カートリッジ６０が容器本体１０から抜脱可能とされているため、抜脱した液状化粧料カートリッジ６０を持って塗布することも可能であり、汎用性、利便性、実用性の向上がさらに図られている。
【００７１】
また、棒状化粧料カートリッジ３０にあっても、容器本体１０を持って当該棒状化粧料カートリッジ３０を所定の力で軸線方向に引っ張ると、先筒３１の周溝部３１ｃが中具２０の環状凸部２８から外れて、容器本体１０から抜脱されるため、消耗等により棒状化粧料Ｍを交換する必要が生じた場合には、液状化粧料カートリッジ６０と同様に、棒状化粧料カートリッジ３０を容器本体１０から抜脱し、交換用（新規）の棒状化粧料カートリッジ３０を上記と同様にして容器本体１０に装着すれば良く、利便性、実用性の向上がさらに図られている。
【００７２】
また、このように棒状化粧料カートリッジ３０が容器本体１０から抜脱可能とされているため、液状化粧料カートリッジ６０と同様に、抜脱した棒状化粧料３０を持って塗布することも可能であり、汎用性、利便性、実用性の向上がさらに図られている。
【００７３】
以上、本発明をその実施形態に基づき具体的に説明したが、本発明は上記実施形態に限定されるものではなく、例えば、上記実施形態においては、容器本体１０の外周面や先筒３１の大径部３１ａ外周面等を円形としているが、これらを始めとする構成部品の内面、外面形状を、機能上支承を生じない範囲で矩形としても良い。
【００７４】
また、液状化粧料部５０の塗布体１０３は、筆状に限定されるものではなく、例えばスポンジ状等であっても良い。
【００７５】
また、上記実施形態においては、組み立ての容易性、化粧料の交換等を考慮し最も好ましい形態として、液状化粧料カートリッジ６０及び棒状化粧料カートリッジ３０を、容器本体１０に対して着脱可能としているが、液状化粧料カートリッジ６０及び棒状化粧料カートリッジ３０の少なくとも一方を、抜脱不能に固定するようにしても勿論良い。
【００７６】
また、液状化粧料部５０にあっては、組み立ての容易性等を考慮して、内部に液状化粧料が貯留される液状化粧料カートリッジ６０を、軸筒としての容器本体１０に組み込む構成としているが、容器本体１０の他方側（図１の図示右側）の部分を、有底の本体筒１０１を備える形状に構成し、本体筒１０１を容器本体１０に一体化して、当該容器本体内に、液状化粧料貯留部、仕切板、中継芯、液状化粧料流出調整具等を配設するようにしても良い。この場合には、上記実施形態で本体筒とされている部分及び容器本体とされている部分により、軸筒としての容器本体が構成される。
【００７７】
また、化粧料は、アイライナーに限定されるものではなく、例えば、アイブロー、リップライナー等としても良く、要は、一方側で液状化粧料の塗布が可能であり、他方側で棒状化粧料の塗布が可能であれば良く、その化粧料の組合せは限定されるものではない。
【００７８】
【発明の効果】
本発明による化粧具は、軸筒の一方側に、液状化粧料を収容すると共に塗布可能とする液状化粧料部を備え、他方側に、棒状化粧料を収容すると共に繰り出して塗布可能とする棒状化粧料部を備え、単一の化粧具で、液状化粧料と棒状化粧料の各々の使用を可能とし、化粧料の相違する化粧具を別々に所持する必要を無くすと共に用途の多様化を図り、且つ、携行に便利で使い勝手に優れるように構成したものであるから、汎用性、利便性、実用性を向上することが可能となる。
【図面の簡単な説明】
【図１】本発明の実施形態に係る化粧具を示す縦断面図である。
【図２】化粧具の側面図である。
【図３】容器本体の破断斜視図である。
【図４】容器本体の破断側面図である。
【図５】棒状化粧料カートリッジの側面図である。
【図６】棒状化粧料カートリッジの縦断面図である。
【図７】中具の斜視図である。
【図８】先筒の背面図である。
【図９】芯チャックの正面図である。
【図１０】ネジ筒の斜視図である。
【図１１】ネジ筒の縦断面図である。
【図１２】ネジ筒の背面図である。
【図１３】容器本体とネジ筒のギヤ部との噛合状態を示す断面図である。
【図１４】棒状化粧料カートリッジの拡大縦断面図である。
【図１５】液状化粧料カートリッジの側面図である。
【符号の説明】
１…化粧具、１０…容器本体（軸筒）、３０…棒状化粧料カートリッジ、３１…先筒（進退機構）、３１ａ…先筒の大径部（摘み部）、３２…芯チャック（進退機構）、３３…ネジ筒（進退機構）、５０…液状化粧料部、５１…棒状化粧料部、６０…液状化粧料カートリッジ、１０３…塗布体、１０８…中継芯、１１１…液状化粧料貯留部、Ｍ…棒状化粧料。
【図１】
2004024506.tif 000003
【図２】
2004024506.tif 000004
【図３】
2004024506.tif 000005
【図４】
2004024506.tif 000006
【図５】
2004024506.tif 000007
【図６】
2004024506.tif 000008
【図７】
2004024506.tif 000009
【図８】
2004024506.tif 000010
【図９】
2004024506.tif 000011
【図１０】
2004024506.tif 000012
【図１１】
2004024506.tif 000013
【図１２】
2004024506.tif 000014
【図１３】
2004024506.tif 000015
【図１４】
2004024506.tif 000016
【図１５】
2004024506.tif 000017